(57)【特許請求の範囲】
【請求項１】
インクタンクホルダーと、紙送りレバーと、カバー制御アームと、色選択センサと、ベルト固定アームとを備えたヘッダーを備え、前記インクタンクホルダーは、各色印字ヘッドと当該各色印字ヘッドの色を示す色被検出部とをその円周方向に離間して配置し、かつその回転軸の回りを回転自在であるカラーインクジェットプリンターであって、１個のモータの回転を、印字紙の幅方向に移動するベルトに伝達して、当該ベルトに前記ベルト固定アームで固定された前記ヘッダーを移動させ、前記モータを回転させて前記ヘッダーを印字紙の前記幅方向の一端に移動させることによって、前記紙送りレバーが、前記一端に配置された紙送りカムを押しつけて、前記モータの回転を印字紙を送る紙送り手段に伝達し、前記モータを回転させて前記ヘッダーを印字紙の前記幅方向の他端に移動させることによって、前記インクタンクホルダーの前記回転軸に固定されたホルダー回転カムが、前記他端に配置された色選択レバーに押されて前記インクタンクホルダーが回転されたとき、この回転位置で前記色選択センサが前記色被検出部を検出し、当該検出された色が指定の色でない場合には、前記モータを逆回転させて前記ヘッダーを元の位置まで戻し、再度前記ヘッダーの印字紙の前記幅方向の他端への移動から繰り返し、前記検出された色が指定の色であった場合には、この判別した色の印字ヘッドで印字を実行することを特徴とするカラーインクジェットプリンター。
【請求項２】
前記ヘッダーを印字紙の前記幅方向の他端に移動させることによって、前記カバー制御アームが前記他端に配置されたカバー制御レバーに押されて、所定位置に保持させる付勢力に抗して移動され、前記インクタンクホルダーに固定された特定の印字ヘッドに付属する可動のヘッドカバーを差し入れて前記特定の印字ヘッドのインク吐出面を覆い、印字を指示すると前記ヘッダーが印字紙の前記幅方向の一端の方向に移動して、前記カバー制御レバーから前記カバー制御アームが離れると、該カバー制御アームが前記付勢力によって前記所定位置に戻ることで、前記ヘッドカバーが前記特定の印字ヘッドのインク吐出面から引き抜かれることを特徴とする請求項１に記載のカラーインクジェットプリンター。
【発明の詳細な説明】
【技術分野】
【０００１】本発明はカラーインクジェットラベルプリンターに関する。
【背景技術】
【０００２】一般的なカラーインクジェットプリンターは、複数の印字ヘッドを並列に有して記録材の幅方向に走査させるものである（例えば特許文献１参照）。ラベルプリンターでは印字紙にカラーテープを熱転写する方法が一般的で熱転写リボン、仮転写リボン、布帛リボンを内蔵するカセットで積層体ラベルを作成するもの（例えば特許文献２参照）。サーマルヘッドにプラテンローラを圧接し、ロール状に巻かれたラベル紙に画像を形成するもの（例えば特許文献３参照）等が提案されている。
【先行技術文献】
【特許文献】
【０００３】
【特許文献１】特公開  平０７−１９５７１５
【特許文献２】特公開  平０７−０８９１９９
【特許文献３】特公開  平０９−３１４８７２
【発明の概要】
【発明が解決しようとする課題】
【０００４】これまでの熱転写ラベルプリンターでカラー印字するには、別途カラーテープを多数用意しなければならず不経済であり、テープの色彩しか印字出来なかった。また印字文字や印字紙に制約が多く使い勝手の面で課題があった。
【課題を解決するための手段】
【０００５】このような課題を解決するために本発明に係わるカラーインクジェットラベルプリンターは、ヘッダーと、インク吐出面に乾燥を防止する可動のヘッドカバーを備えた４個の印字ヘッドと、４個のインクタンクを搭載する回転自在のインクタンクホルダーと、該ヘッドカバーを抜き差しするカバー制御アームと、紙送りカムを回転させて印字紙を送り出す紙送りレバーと、４個のフォトインタラプタを固定した色選択センサと、ヘッダーを印字紙の幅方向にベルトで移動させるモータと、ヘッダーの左右両側面エッジがそれぞれに当たって作動する２個のリミットセンサと、開閉自在のアッパーケースと、キーボードと表示器及び電子部品を配設してアッパーケースの内側に固定する電子回路基板と、印字紙をラベル排出口に導くトレーと、複数個の電池を収納する電池ボックスで構成されている。
【発明の効果】
【０００６】本発明によって印字紙の幅、長さを自由に選択できて多色印字や一文字一文字色彩を変えて印字することも可能で、ロール紙や普通コピー紙を使用することで経済性に優れ、市販の詰め替え用カラーインクを使用することで運転コストが安いカラーインクジェットラベルプリンターを提供することが出来る。
【図面の簡単な説明】
【０００７】
【図１】本発明の実施の形態のカラーインクジェットラベルプリンターの外観図
【図２】同アッパーケースを開けた時の外観図
【図３】同内部の外観図
【図４】同一部部品を除いた内部の外観図
【図５】同内部の上面図
【図６】同内部の側面図
【図７】同インクタンクホルダーの拡大外観図
【図８】同ヘッダーの拡大外観図
【図９】同紙送りレバーの拡大外観図
【図１０】同印字台の拡大外観図
【図１１】同色選択センサの拡大外観図
【図１２】同プラテンの拡大外観図
【図１３】同図７Ｃ円の拡大外観図
【図１４】同接続ピンの拡大側面図
【図１５】同インクタンクホルダー軸部分の拡大断面図
【図１６】同図３Ａ円の拡大外観図
【図１７】同インクタンクカバー拡大外観図
【図１８】同紙送りカムの拡大外観図
【図１９】同プーリの拡大外観図
【図２０】同ホルダー回転カムの拡大外観図
【図２１】同プラテン保持板の拡大外観図
【図２２】同プラテン制御アームの拡大外観図
【図２３】同トレーの拡大外観図
【図２４】同カバー制御アームの裏面拡大外観図
【図２５】同インクタンクの裏面拡大外観図
【図２６】同図３Ｂ円の拡大外観図
【図２７】同色選択レバーの拡大外観図
【図２８】同スプリングＡの拡大外観図
【図２９】同スプリングＢの拡大外観図
【図３０】同スプリングＣの拡大外観図
【図３１】同スプリングＤの拡大外観図
【図３２】同スプリングＥの拡大外観図
【図３３】同フローチャート図
【発明を実施するための形態】
【０００８】以下図面に基づき本発明の実施の形態について説明する。
モータ固定板５２と、ロール紙支えリブ５０ａ及び５０ｂと、カム取り付けリブ６２ａ及び６２ｂと、プーリ取り付けリブ６４ａ及び６４ｂと、印字台３７と電池ボックス３６と、カバー制御レバー取り付けリブ５５ａ及び５５ｂと、色選択レバー２９の取り付けボス（図示せず）とストッパーＢ８５と、リミットセンサ取り付けリブ８６ａ及び８６ｂと、プラテン制御アームリブ５７はプラスチック材のボトムケース１と一体成型されている。
【０００９】ロール紙２１の芯の中にロール紙受け軸２０を挿入して、両端をロール紙支えリブ５０ａ及び５０ｂの切り欠け部分に回転自在に架けられる。ベルト２２をプーリ５３ｂに掛けた状態でプーリ取り付けリブ６４ａ及び６４ｂの間に、シャフト（図示せず）で回転自在に取り付けられている。ギヤＡ６１と紙送りカム９０はプラスチック材で一体成型されていて、シャフトＦ６３に固定した後、カム取り付けリブ６２ａと６２ｂの外側に回転自在に取り付けられている。
【００１０】カバー制御レバー５４はカバー制御レバー取り付けリブ５５ａ及び５５ｂの間に、スプリングＡ５１の輪の部分を通してシャフト（図示せず）で回転可能に取り付けられる。スプリングＡ５１の一端はボトムケース１の底面に当て、他端は該カバー制御レバー５４に当ててヘッダー３４の方向に押されている。該カバー制御レバー５４の下端がボトムケース１に当たってストッパーの役目を果たしている。
【００１１】印字台３７には印字紙の幅に合わせて手動で調整する印字紙ガイド１８０が取り付けられていて、片方の端の印字紙ガイドは印字台３７と一体成型されている。印字が終了した印字紙は電池ボックス３６に固定されているトレー３３の上を滑り下りてラベル排出口６から取り出される。
【００１２】色選択レバー２９は取り付けボス（図示せず）にスプリングＢ５６の輪の部分を入れて一端を色選択レバー２９に、他端をストッパーＢ８７に掛けて回転可能に取り付けられて該ストッパーＢ８７に押し当てられている。
【００１３】リミットセンサ３１ａ及び３１ｂは同等のリーフスイッチで、センサ取り付けリブ８６ａ及び８６ｂにそれぞれ固定されていて、ヘッダー３４の側面エッジが当たると接点が閉じる。
【００１４】シャフトＢ２６とシャフトＤ３８は、ボトムケース１の両側面で回転自在に支えられて、シャフトＢ２６にはギヤＡ６１と噛み合うギヤＢ８９が固定され、該ボトムケース１の外側にツマミＡ７が固定されている。シャフトＤ３８にはプラテン保持板６０が回転自在に貫通し、該プラテン保持板６０の外側にプラテン制御アーム８５が固定され、該プラテン保持板６０の面に先端部分が突き出ていて、プラテン保持板６０を押し下げることができ、該ボトムケース１の外側にツマミＢ２８が固定されている。シャフトＡ２４とシャフトＣ３０には移動自在にヘッダー３４を取り付けて、該ボトムケース１の左右側面に固定または回転可能に取り付けられている。
【００１５】ヘッダー３４上の支柱１４２と、紙送りレバー取り付けリブ１４３ａ及び１４３ｂと、シャッター制御アーム８２の取り付けボス（図示せず）と、ストッパーＡ８１と、色選択センサ８８の取り付けリブ（図示せず）はプラスチック材のヘッダー３４と一体成型されている。
【００１６】前記カバー制御アーム８２の取り付けボス（図示せず）には、スプリングＤ８３の輪の部分を入れて一端をストッパーＡ８１に掛け、他端を該カバー制御アーム８２に掛けて回転可能に取り付けられてストッパーＡ８１に押し当てている。４個のフォトインタラプタ２００ａ、２００ｂ、２００ｃ、２００ｄを固定した色選択センサ８８は取り付けリブ（図示せず）に固定されていて、それぞれのフォトインタラプタ２００に予め配線されたＦＰＣ１４１はヘッダー３４の表面に貼り付け固定されている。
【００１７】紙送りレバー８０は紙送りレバー取り付けリブ１４３ａ及び１４３ｂの間にシャフト（図示せず）で回転可能に取り付けられ、端の部分とヘッダー３４の表面の間にはスプリングＥ１６０が入っていて他端が常時押し下げられている。
【００１８】インクタンクホルダー３５はヘッダー３４上の支柱１４２に回転自在に嵌め込まれて、ホルダー回転カム１０１を該ヘッダー３４の裏側で軸に固定し保持されている。４個のインクタンク２５ａ、２５ｂ、２５ｃ、２５ｄを設置後、インクタンクカバー２７を押し当てながら回転させて固定する。
【００１９】前記インクタンクホルダー３５は色選択センサ遮光板８４ａ、８４ｂ、８４ｃ、８４ｄが一体成型されている。それぞれに可動のヘッドカバー３２ａ、３２ｂ、３２ｃ、３２ｄが付属する４個の印字ヘッド１２０ａ、１２０ｂ、１２０ｃ、１２０ｄが固定されていて、それぞれの印字ヘッド１２０から出ている複数の配線は複数の接続ピン２２０に配線されている。該接続ピン２２０の先端にはバネ効果のある接触端子２３０が溶接されていてＦＰＣ１４１の面に圧接して導通する。
【００２０】前記プラテン保持板６０には複数のプラテンローラ２１０を固定したシャフトＥ５８が回転自在に嵌め込まれていて、反対側が貫通しているシャフトＤ３８にスプリングＣ５９の輪の部分を通し、一端をプラテン保持板６０に当て他端を印字台３７の下端に当ててプラテン保持板６０を上方に押し上げ、該プラテンローラ２１０がシャフトＢ２６に圧接している。
【００２１】プラスチック材のアッパーケース２の内側には、キーボード３と表示器４と電子部品（図示せず）を配設した電子回路基板１００が固定されていて、該アッパーケース２の後方左右２ヶ所でボトムケース１に開閉自在に勘合されている。
【００２２】次に作用について説明する。
複数のインク吐出孔を有する同等の４個の印字ヘッド１２０ａ、１２０ｂ、１２０ｃ、１２０ｄはピエゾ方式のオンデマンド型で、インクタンクホルダー３５を回転させて該印字ヘッド１２０のいずれを選択しても印字開始位置が同一になる。４個のインクタンク２５ａ、２５ｂ、２５ｃ、２５ｄにはそれぞれブラック、マゼンダ、イエロー、シアンのインクが充填されている。
【００２３】保存時または印字終了時にはヘッダー３４の側面エッジがリミットセンサ３１ａに当たった時の情報でモータ２３がＯＦＦ状態になる。該モータ２３がＯＦＦになる前にカバー制御レバー５４はカバー制御アーム８２を押してヘッドカバー３２を差し入れて印字ヘッド１２０のインク吐出面を覆う。全ての印字ヘッド１２０のインク吐出面はそれぞれのヘッドカバー３２で覆われている。
【００２４】インクタンクホルダー３５を回転させた時にヘッドカバー３２の衝立部分は、カバー制御アーム８２裏側の２本のボスの間に入る。インクタンクホルダー３５を回転するのは保存時または印字終了時のみである。また選択されたインクタンク２５の接触端子２３０のみがＦＰＣ１４１に圧接して導通する。該ＦＰＣ１４１は電子回路基板１００に接続（図示せず）する形状に一体成型されている。
【００２５】前記インクタンク２５及び印字ヘッド１２０を選択するにはヘッダー３４を反対側に移動させ、ホルダー回転カム１０１の突き出た部分の手前に色選択レバー２９の先端がきた時にモータ２３を逆回転させて該ヘッダー３４を元の位置まで戻し、色選択センサ８８が指定の色を選択するまで動作を繰り返す。指定の色はフォトインタラプタ２００のスリットに色選択センサ遮光板８４が入った時の情報で得る。この動作中カバー制御レバー５４はカバー制御アーム８２を押し続けている。
【００２６】印字を指示するとヘッダー３４が印字紙の方に移動しカバー制御レバー５４とカバー制御アーム８２が離れて、ヘッドカバー３２が印字ヘッド１２０から所定の位置まで引き抜かれて印字が始まる。最初の印字が終わるとヘッダー３４は同方向に移動を続け、紙送りレバー８０が紙送りカム９０の突き出た部分を押して回転させ、噛み合うギヤＡ６１とギヤＢ８９がその回転をシャフトＢ２６に伝えて印字紙を次の印字位置まで送る。ヘッダー３４の側面エッジがリミットセンサ３１ｂに当たるとモータ２３が逆回転して印字開始位置まで戻り印字を再開する。ヘッダー３４の動作は印字が終了するまで繰り返される。印字が終了した印字紙は紙送り動作を繰り返すかツマミＡ７を手動で回転させてラベル排出口６から取り出す。ロール紙の場合は手動で切断した後ツマミＡ７を逆回転させて印字位置まで戻す。
【００２７】新しい印字紙を配置するにはアッパーケース２を持ち上げて、ツマミＢ２８を倒すとプラテン制御アーム８５がプラテン保持板６０を押し下げて、プラテンローラ２１０がシャフトＢ２６から離れて印字紙が差し込める。印字紙ガイド１８０を手動で移動させて印字紙の幅に合わせ、ツマミＢ２８を元の位置に戻してシャフトＢ２６とプラテンローラ２１０で印字紙を挟みツマミＡ７で印字開始位置を調整する。
【００２８】プラテン制御アーム８５のプラテン制御アームリブ５７に接する面は、平らな２面（プラテンローラ２１０がシャフトＢ２６に圧接した時と離れた時）が角度を持っていてプラテン制御アームリブ５７に強く接している。該プラテン制御アームリブ５７にはバネ効果があってプラテン制御アーム８５が平らな面で制止する。
【００２９】モータ２３はステッピングモータで電子回路基板１００に実装されたマイコン（図示せず）に移植されるソフトウェアで制御され、ヘッダー３４上のベルト固定アーム１４０に固定されたベルト２２でヘッダー３４を移動させて、印字ヘッド１２０の移動と色選択及び紙送りを可能にしている。また印字紙の長さと幅と文字の高さを指定すると文字がはみ出す場合は表示器４に警告表示される。
【００３０】モータ２３と電子回路基板１００とフォトインタラプタ２００とリミットセンサ３１を駆動する電源は、内蔵の電池（図示せず）またはＤＣソケット５に差し込まれる外部のＡＣアダプター（図示せず）から供給される。
【符号の説明】
【００３１】    １  ボトムケース                ２６  シャフトＢ
２  アッパーケース              ２７  インクタンクカバー
３  キーボード                  ２８  ツマミＢ
４  表示器                      ２９  色選択レバー
５  ＤＣソケット                ３０  シャフトＣ
６  ラベル排出口                ３１  リミットセンサ
７  ツマミＡ                    ３２  ヘッドカバー
２０  ロール紙受け軸              ３３  トレー
２１  ロール紙                    ３４  ヘッダー
２２  ベルト                      ３５  インクタンクホルダー
２３  モータ                      ３６  電池ボックス
２４  シャフトＡ                  ３７  印字台
２５  インクタンク                ３８  シャフトＤ
５０  ロール紙支えリブ
５１  スプリングＡ
５２  モータ固定板
５３  プーリ
５４  カバー制御レバー
５５  カバー制御レバー取り付けリブ
５６  スプリングＢ
５７  プラテン制御アームリブ
５８  シャフトＥ
５９  スプリングＣ
６０  プラテン保持板
６１  ギヤＡ
６２  カム取り付けリブ
６３  シャフトＦ
６４  プーリ取り付けリブ
８０  紙送りレバー
８１  ストッパーＡ
８２  カバー制御アーム
８３  スプリングＤ
８４  色選択センサ遮光板
８５  プラテン制御アーム
８６  リミットセンサ取り付けリブ
８７  ストッパーＢ
８８  色選択センサ
８９  ギヤＢ
９０  紙送りカム
１００  電子回路基板
１０１  ホルダー回転カム
１２０  印字ヘッド
１４０  ベルト固定アーム
１４１  ＦＰＣ
１４２  支柱
１４３  紙送りレバー取り付けリブ
１６０  スプリングＥ
１８０  印字紙ガイド
２００  フォトインタラプタ
２１０  プラテンローラ
２２０  接続ピン
２３０  接触端子
【要約】      （修正有）【課題】カラーテープを多数用意する必要がなく、印字文字や印字紙に制約が少なく使い勝手を良くすることができるカラーインクジェットラベルプリンターを提供する。【解決手段】ヘッダーと、インク吐出面に乾燥を防止する可動のヘッドカバーを備えた４個の印字ヘッドと、ヘッドカバーを抜き差しするカバー制御アーム８２と、紙送りカム９０を回転させて印字紙を送り出す紙送りレバー８０と、４個のフォトインタラプタを固定した色選択センサ８８と、ヘッダーを印字紙の幅方向にベルトで移動させるモータ２３と、ヘッダーの左右両側面エッジがそれぞれに当たって作動する２個のリミットセンサ３１ａ，３１ｂと、開閉自在のアッパーケースと、キーボードと表示器及び電子部品を配設してアッパーケースの内側に固定する電子回路基板と、印字紙をラベル排出口に導くトレーと、複数個の電池を収納する電池ボックス３６を有する。【選択図】図５【図１】
0005817010.tif 000002
【図２】
0005817010.tif 000003
【図３】
0005817010.tif 000004
【図４】
0005817010.tif 000005
【図５】
0005817010.tif 000006
【図６】
0005817010.tif 000007
【図７】
0005817010.tif 000008
【図８】
0005817010.tif 000009
【図９】
0005817010.tif 000010
【図１０】
0005817010.tif 000011
【図１１】
0005817010.tif 000012
【図１２】
0005817010.tif 000013
【図１３】
0005817010.tif 000014
【図１４】
0005817010.tif 000015
【図１５】
0005817010.tif 000016
【図１６】
0005817010.tif 000017
【図１７】
0005817010.tif 000018
【図１８】
0005817010.tif 000019
【図１９】
0005817010.tif 000020
【図２０】
0005817010.tif 000021
【図２１】
0005817010.tif 000022
【図２２】
0005817010.tif 000023
【図２３】
0005817010.tif 000024
【図２４】
0005817010.tif 000025
【図２５】
0005817010.tif 000026
【図２６】
0005817010.tif 000027
【図２７】
0005817010.tif 000028
【図２８】
0005817010.tif 000029
【図２９】
0005817010.tif 000030
【図３０】
0005817010.tif 000031
【図３１】
0005817010.tif 000032
【図３２】
0005817010.tif 000033
【図３３】
0005817010.tif 000034